【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
使用状態と収納状態との間で移動可能な発光ユニットと、
前記発光ユニットを前記収納状態に付勢する付勢部材と、
駆動源によって駆動される駆動部材と、
前記駆動部材に連動して移動することで前記発光ユニットと当接し、前記付勢部材の付勢力に抗して前記発光ユニットを前記収納状態から前記使用状態に移動させる移動部材とを有し、
前記駆動部材には、前記発光ユニットが前記収納状態となるときに、前記移動部材と係合する第１のカムが形成されるとともに、前記収納状態の前記発光ユニットを手動操作によって、前記使用状態に移動させる際に、前記移動部材と前記第１のカムとの係合を解除して、前記移動部材と係合する第２のカムが形成され、
前記発光ユニットを手動操作によって、前記収納状態から前記使用状態に移動させる際には、前記移動部材が移動することなく前記第１のカムとの係合した状態で、前記発光ユニットが前記収納状態から第１の状態まで移動するように、前記収納状態となる前記発光ユニットと前記移動部材との間に第１のクリアランスを形成し、
前記発光ユニットを前記収納状態から前記第１の状態まで移動させることで、前記発光ユニットと撮像装置本体との間に隙間が形成されることを特徴とする撮像装置。
【請求項２】
前記発光ユニットを手動操作によって、前記使用状態から前記収納状態に移動させる際には、前記移動部材が移動することなく前記第２のカムとの係合した状態で、前記発光ユニットが前記使用状態から第２の状態まで移動するように、前記使用状態となる前記発光ユニットと前記移動部材との間に第２のクリアランスを形成することを特徴とする請求項１に記載の撮像装置。
【請求項３】
前記付勢部材は、前記発光ユニットが前記収納状態となるときには、前記発光ユニットを前記収納状態に付勢するとともに、前記発光ユニットが前記使用状態となるときには、前記発光ユニットを前記使用状態に付勢するトグルばねであって、
前記発光ユニットが前記収納状態から前記第１の状態まで移動する間には、前記トグルばねは前記発光ユニットを前記収納状態に付勢し、
前記発光ユニットが前記使用状態から前記第２の状態まで移動する間には、前記トグルばねは前記発光ユニットを前記使用状態に付勢することを特徴とする請求項２に記載の撮像装置。
【請求項４】
前記移動部材には、前記第１のカムまたは前記第２のカムと係合可能であって、前記第１のカムまたは前記第２のカムとの係合を解除する際に、前記移動部材の内部に退避するフォロワーが形成されることを特徴とする請求項１ないし３のいずれか１項に記載の撮像装置。
【手続補正２】
【補正対象書類名】明細書
【補正対象項目名】０００９
【補正方法】変更
【補正の内容】
【０００９】
本発明の撮像装置は、使用状態と収納状態との間で移動可能な発光ユニットと、前記発光ユニットを前記収納状態に付勢する付勢部材と、駆動源によって駆動される駆動部材と、前記駆動部材に連動して移動することで前記発光ユニットと当接し、前記付勢部材の付勢力に抗して前記発光ユニットを前記収納状態から前記使用状態に移動させる移動部材とを有し、前記駆動部材には、前記発光ユニットが前記収納状態となるときに、前記移動部材と係合する第１のカムが形成されるとともに、前記収納状態の前記発光ユニットを手動操作によって、前記使用状態に移動させる際に、前記移動部材と前記第１のカムとの係合を解除して、前記移動部材と係合する第２のカムが形成され、前記発光ユニットを手動操作によって、前記収納状態から前記使用状態に移動させる際には、前記移動部材が移動することなく前記第１のカムとの係合した状態で、前記発光ユニットが前記収納状態から第１の状態まで移動するように、前記収納状態となる前記発光ユニットと前記移動部材との間に第１のクリアランスを形成し、前記発光ユニットを前記収納状態から前記第１の状態まで移動させることで、前記発光ユニットと撮像装置本体との間に隙間が形成されることを特徴とする。
【手続補正３】
【補正対象書類名】明細書
【補正対象項目名】００４６
【補正方法】変更
【補正の内容】
【００４６】
第３のストロボカム３０ｃは、レンズ鏡筒ユニットＬが沈胴状態で、発光ユニット１が使用状態となったときに、発光ユニット１の使用状態を維持して、レンズ鏡筒ユニットＬを沈胴状態から繰り出し状態にするカムである。また、第３のストロボカム３０ｃは、発光ユニット１を使用状態に押さえ込んで、レンズ鏡筒ユニットＬが繰り出し状態から沈胴状態となるときに、発光ユニット１の使用状態を維持して、レンズ鏡筒ユニットＬを繰り出し状態から沈胴状態にするカムである。したがって、発光部が図８（ｂ）に示す状態と図８（ｄ）に示す状態との間で変化するとき、スライダ３７のストロボフォロワー３９は第３のストロボカム３０ｃをトレースする。
【手続補正４】
【補正対象書類名】明細書
【補正対象項目名】００５２
【補正方法】変更
【補正の内容】
【００５２】
ストロボフォロワー３９がポジション３０ａ１に位置するとき、発光ユニット１を収納状態に押さえ込んで、レンズ鏡筒ユニットＬを沈胴状態からワイド状態にする。このとき、ストロボフォロワー３９は第１のストロボカム３０ａとの係合を解除して、図７（ｃ）の矢印Ｂ２方向に進む。そして、ストロボフォロワー３９は第２のストロボカム３０ｂと係合して、ポジション３０ｂ２に位置する。
【手続補正５】
【補正対象書類名】明細書
【補正対象項目名】００５３
【補正方法】変更
【補正の内容】
【００５３】
図８（ａ）に示すように、ストロボフォロワー３９がポジション３０ａ１に位置するとき、発光ユニット１を手動操作によって使用状態とすると、図８（ｄ）に示す状態になる。このとき、ストロボフォロワー３９は第１のストロボカム３０ａとの係合を解除して、ポジション３０ｃ１にて第３のストロボカム３０ｃと係合する。ストロボフォロワー３９がポジション３０ｃ１に位置するとき、レンズ鏡筒ユニットＬを沈胴状態からワイド状態にすると、ストロボフォロワー３９は第３のストロボカム３０ｃとの係合を解除して、矢印Ｃ２方向に進む。そして、ストロボフォロワー３９は第１のストロボカム３０ａと係合して、ポジション３０ａ２に位置する。
【手続補正６】
【補正対象書類名】明細書
【補正対象項目名】００５４
【補正方法】変更
【補正の内容】
【００５４】
ストロボフォロワー３９がポジション３０ａ２に位置するとき、発光ユニット１を押さえ込んで使用状態のまま、レンズ鏡筒ユニットＬをワイド状態から沈胴状態にする。このとき、ストロボフォロワー３９は第１のストロボカム３０ａとの係合を解除して、図７（ｃ）の矢印Ｃ１方向に進む。そして、ストロボフォロワー３９は第３のストロボカム３０ｃと係合して、ポジション３０ｃ１に位置する。
【手続補正７】
【補正対象書類名】明細書
【補正対象項目名】００６１
【補正方法】変更
【補正の内容】
【００６１】
図１０（ｂ）に示す状態から、発光ユニット１をさらに矢印Ｒ方向に回転させると、突起４０８ｂがＵ字部３７ａの壁３７ａ１を押圧して、スライダ３７も矢印Ｆ方向に移動する。図１０（ｃ）は発光ユニット１の回転軸であるストロボシャフト３０２、トグルばね４０９が引っ掛けられる軸３０１ａと軸４１０とが一直線上に並んだ状態を示している。この位置を越えると、トグルばね４０９が発光ユニット１を付勢する方向Ｓは、発光ユニット１を使用状態に付勢する方向となる。
【手続補正８】
【補正対象書類名】図面
【補正対象項目名】図２
【補正方法】変更
【補正の内容】
【図２】
2011155384.tif 000001